(57)【要約】  熱源を冷却するための冷却システムは、マルチプラナー構成において配置されている複数のエンベッドされた冷却チャネルを有するモノリシック構造体、モノリシック構造体の全体を通じた複数の場所に対して冷却流体を運搬するように構成されているエンベッドされた冷却チャネル、モノリシック構造体に関連する熱源から伝達された熱を吸収するように構成されている冷却流体、を含む。モノリシック構造体は、選択的レーザ溶融（Ｓｌｅｃｔｉｖｅ  Ｌａｓｅｒ  Ｍｅｌｔｉｎｇ、ＳＬＭ）またはＤｉｒｅｃｔ  Ｍｅｔａｌ  Ｌａｓｅｒ  Ｓｉｎｔｅｒｉｎｇ（ＤＭＬＳ）といった、付加製造プロセスを使用してエンベッドされた冷却チャネルとともに一体的に形成される。
2017517878.tif 000002
【特許請求の範囲】
【請求項１】
熱源を冷却するための冷却システムであって、
マルチプラナー構成において配置されている複数のエンベッドされた冷却チャネルを有するモノリシック構造体であり、
前記エンベッドされた冷却チャネルは、前記モノリシック構造体の全体を通じた複数の場所に対して冷却流体を運搬するように構成されており、
前記冷却流体は、前記モノリシック構造体に関連する熱源から伝達された熱を吸収するように構成されている、
モノリシック構造体、を含み、
前記モノリシック構造体は、付加製造プロセスを使用して、前記エンベッドされた冷却チャネルとともに一体的に形成される、
冷却システム。
【請求項２】
前記モノリシック構造体は、選択的レーザ溶融（ＳＬＭ）プロセスを使用して、前記エンベッドされた冷却チャネルとともに一体的に形成される、
請求項１に記載の冷却システム。
【請求項３】
前記エンベッドされた冷却チャネルは、継ぎ目なく一体的に形成されており、かつ、前記冷却流体を、連続的に、前記モノリシック構造体の少なくとも２つの壁を通じて運搬するように構成されている、
請求項１に記載の冷却システム。
【請求項４】
前記エンベッドされた冷却チャネルのうち少なくともいくつかは、複数のらせんを形成している、
請求項１に記載の冷却システム。
【請求項５】
前記モノリシック構造体は、前記付加製造プロセスにおいて、格子、クモの巣、または網目として形成された少なくとも一つの部分を含む、
請求項１に記載の冷却システム。
【請求項６】
それぞれの冷却チャネルは、前記冷却チャネルの内部空間を定める複数の壁を含み、
前記壁のうち少なくとも一つから前記冷却チャネルの前記内部空間の中へ、複数の熱伝達構造体が突き出している、
請求項１に記載の冷却システム。
【請求項７】
前記複数の熱伝達構造体は、ピン形フィン、ピッグテール形フィン、または、ティアドロップ形状のフィン、のうち少なくとも一つを含む、
請求項６に記載の冷却システム。
【請求項８】
複数の発熱する電子機器を収容し、かつ、冷却するように構成されている電子機器筐体であって、
複数の取り付けレールと、マルチプラナー構成において配置されている複数のエンベッドされた冷却チャネルとを有する、少なくとも一つの冷たい壁であり、
前記エンベッドされた冷却チャネルは、前記取り付けレールの近傍の複数の場所に対して冷却流体を運搬するように構成されており、
前記冷却流体は、前記取り付けレールの少なくとも一つにマウントされた発熱する電子機器熱源から伝達された熱を吸収するように構成されている、
冷たい壁、を含み、
前記少なくとも一つの冷たい壁は、付加製造プロセスを使用して、前記エンベッドされた冷却チャネルとともに一体的に形成される、
電子機器筐体。
【請求項９】
前記少なくとも一つの冷たい壁は、選択的レーザ溶融（ＳＬＭ）プロセスを使用して、前記エンベッドされた冷却チャネルとともに一体的に形成される、
請求項８に記載の電子機器筐体。
【請求項１０】
前記エンベッドされた冷却チャネルは、継ぎ目なく一体的に形成されており、かつ、前記冷却流体を、連続的に、モノリシック構造体の少なくとも２つの壁を通じて運搬するように構成されている、
請求項８に記載の電子機器筐体。
【請求項１１】
前記エンベッドされた冷却チャネルのうち少なくともいくつかは、複数のらせんを形成している、
請求項８に記載の電子機器筐体。
【請求項１２】
モノリシック構造体は、前記付加製造プロセスにおいて、格子、クモの巣、または網目として形成された少なくとも一つの部分を含む、
請求項８に記載の電子機器筐体。
【請求項１３】
それぞれの冷却チャネルは、前記冷却チャネルの内部空間を定める複数の壁を含み、
前記壁のうち少なくとも一つから前記冷却チャネルの前記内部空間の中へ、複数の熱伝達構造体が突き出している、
請求項８に記載の電子機器筐体。
【請求項１４】
前記複数の熱伝達構造体は、ピン形フィン、ピッグテール形フィン、または、ティアドロップ形状のフィン、のうち少なくとも一つを含む、
請求項１３に記載の電子機器筐体。
【請求項１５】
熱源を冷却するための冷却システムを製造する方法であって、
付加製造プロセスを使用して、モノリシック構造体と、前記モノリシック構造体において一体的にエンベッドされた複数の冷却チャネルとを形成するステップ、を含み、
前記エンベッドされた冷却チャネルは、マルチプラナー構成において配置され、かつ、前記モノリシック構造体の全体を通じた複数の場所に対して冷却流体を運搬するように構成されており、
前記冷却流体は、前記モノリシック構造体に関連する熱源から伝達された熱を吸収するように構成されている、
方法。
【請求項１６】
前記モノリシック構造体は、選択的レーザ溶融（ＳＬＭ）プロセスを使用して、前記エンベッドされた冷却チャネルとともに一体的に形成される、
請求項１５に記載の方法。
【請求項１７】
前記エンベッドされた冷却チャネルは、継ぎ目なく一体的に形成されており、かつ、前記冷却流体を、連続的に、前記モノリシック構造体の少なくとも２つの壁を通じて運搬するように構成されている、
請求項１５に記載の方法。
【請求項１８】
前記エンベッドされた冷却チャネルのうち少なくともいくつかは、複数のらせんを形成している、
請求項１５に記載の方法。
【請求項１９】
前記モノリシック構造体は、前記付加製造プロセスにおいて、格子、クモの巣、または網目として形成された少なくとも一つの部分を含む、
請求項１５に記載の方法。
【請求項２０】
それぞれの冷却チャネルは、前記冷却チャネルの内部空間を定める複数の壁を含み、
前記壁のうち少なくとも一つから前記冷却チャネルの前記内部空間の中へ、複数の熱伝達構造体が突き出している、
請求項１５に記載の方法。
【請求項２１】
前記複数の熱伝達構造体は、ピン形フィン、ピッグテール形フィン、または、ティアドロップ形状のフィン、のうち少なくとも一つを含む、
請求項２０に記載の方法。
【発明の詳細な説明】
【技術分野】
【０００１】
本発明開示は、一般的に電子機器のハウジングに関する。そして、より特定的には、流体冷却チャネルがエンベッドされたマルチプラナーを伴うモノリシックマルチモジュール電子機器筐体に関する。
【背景技術】
【０００２】
ハイパワーエレクトロニクス（ｈｉｇｈ  ｐｏｗｅｒ  ｅｌｅｃｔｒｏｎｉｃｓ）のための電子機器筐体（ｅｌｅｃｔｒｏｎｉｃｓ  ｃｈａｓｓｉｓ）は、典型的には、冷却プレート（ｃｏｏｌｉｎｇ  ｐｌａｔｅ）を形成するために、真空ろう付けされた（ｖａｃｕｕｍ−ｂｒａｚｅｄ）「冷たい壁（”ｃｏｌｄ  ｗａｌｌ”）」を使用して構築される。特殊な製造プロセスが取り込まれているので、そうした筐体は、製造と実施のための長いリードタイム（例えば、６カ月以上）を必要とすることがある。加えて、そうした筐体は、典型的には、大量の締め具（ｆａｓｔｎｅｒ）、アダプタプレート、および付属品（ｆｉｔｔｉｎｇｓ）を用いてアセンブリされる。これらの特性は、特には少量生産またはプロトタイプについての、筐体コスト、および、類似／リユースの多いデザインでさえも、新たな筐体を製作するためのリードタイム、について、著しいインパクトを持ち得ることである。これは、また、新たなミッションまたはシステム要求に対して既存の筐体を迅速に再構成するのをチャレンジングなものにし得るものである。
【発明の概要】
【０００３】
従来技術に係る上記の欠陥のうち一つまたはそれ以上を取り扱うために、本開示における一つの実施例は、熱源を冷却するための冷却システムを提供する。冷却システムは、マルチプラナー構成において配置されている複数のエンベッド（ｅｍｂｅｄ）された冷却チャネルを有するモノリシック構造体を含み、エンベッドされた冷却チャネルは、モノリシック構造体の全体を通じた複数の場所に対して冷却流体を運搬するように構成されており、冷却流体は、モノリシック構造体に関連する熱源から伝達された熱を吸収するように構成されている。モノリシック構造体は、付加製造プロセスを使用してエンベッドされた冷却チャネルとともに一体的に形成される。
【０００４】
本開示における別の実施例は、複数の発熱する電子機器を収容し、かつ、冷却するように構成されている電子機器筐体を提供する。電子機器筐体は、複数の取り付けレールとマルチプラナー構成において配置されている複数のエンベッドされた冷却チャネルとを有する少なくとも一つの冷たい壁を含み、エンベッドされた冷却チャネルは、取り付けレールの近傍の複数の場所に対して冷却流体を運搬するように構成されており、冷却流体は、取り付けレールの少なくとも一つにマウントされた発熱する電子機器熱源から伝達された熱を吸収するように構成されている。少なくとも一つの冷たい壁は、付加製造プロセスを使用してエンベッドされた冷却チャネルとともに一体的に形成される。
【０００５】
本開示におけるさらなる実施例は、熱源を冷却するための冷却システムを製造する方法を提供する。本方法は、付加製造プロセスを使用して、モノリシック構造体と、前記モノリシック構造体において一体的にエンベッドされた複数の冷却チャネルとを形成するステップを含む。エンベッドされた冷却チャネルは、マルチプラナー構成において配置され、かつ、モノリシック構造体の全体を通じた複数の場所に対して冷却流体を運搬するように構成されており、冷却流体は、モノリシック構造体に関連する熱源から伝達された熱を吸収するように構成されている。
【０００６】
特定の利点が上記に列挙されてきたが、種々の実施例は、列挙された利点のいくつかを含んでよく、全く含まなくても、または、全てを含んでもよい。加えて、以降の図面と説明を検討した後では、当業者にとって、他の技術的な利点が直ちに明らかになり得るものである。
【図面の簡単な説明】
【０００７】
本開示およびその利点に係るより完全な理解のために、これから、以降の説明について参照される。添付の図面と併せて為されるものであり、図面において類似の参照番号は類似のパーツを表している。
【図１Ａ】図１Ａは、本開示に従って、モノリシック筐体の一つの実施例について異なる斜視図を示している。
【図１Ｂ】図１Ｂは、本開示に従って、モノリシック筐体の一つの実施例について異なる斜視図を示している。
【図２】図２は、本開示に従って、透視形式において示された、モノリシック筐体の一つの実施例に係る斜視図である。
【図３Ａ】図３Ａは、本開示に従って、モノリシック筐体の一つの実施例に係る製造プロセスの異なるステージを示している。
【図３Ｂ】図３Ｂは、本開示に従って、モノリシック筐体の一つの実施例に係る製造プロセスの異なるステージを示している。
【図４】図４は、本開示に従って、構造体においてエンベッドされ得る冷却チャネルらせん（ｈｅｌｉｘ）の一つの実施例を示している。
【図５Ａ】図５Ａは、本開示に従って、冷却チャネルの内側における使用のための冷却フィンの異なる実施例を示している。
【図５Ｂ】図５Ｂは、本開示に従って、冷却チャネルの内側における使用のための冷却フィンの異なる実施例を示している。
【図５Ｃ】図５Ｃは、本開示に従って、冷却チャネルの内側における使用のための冷却フィンの異なる実施例を示している。
【発明を実施するための形態】
【０００８】
図１Ａから図５Ｃ、以下に説明されるもの、および、この明細書（ｐａｔｅｎｔ  ｄｏｃｕｍｅｎｔ）において本開示の本質を説明するために使用される種々の実施例は、説明目的だけとしてのものであり、そして、如何様にも、本開示の範囲を限定するものと理解されるべきではない。当業者であれば、本開示の本質は、あらゆるタイプの適切に構成されたデバイスまたはシステムにおいて実施され得ることが理解されよう。
【０００９】
ハイパワーエレクトロニクスのための電子機器筐体は、典型的には、真空ろう付けされた「冷たい壁」を使用して構築される。「冷たい壁」は、内部チャネル（ｃｈａｎｎｅｌ）を伴うプラナー金属プレートを通じて密封した流れ（ｈｅｒｍｅｔｉｃ  ｆｌｏｗ）を形成するものである。これらの冷却プレートは、次に、筐体の端および筐体の底部を形成する同様なプレートに対して、一般的にアセンブリされる。完成したアセンブリは、実質的に直方体の箱形状であって、上面と底面の構造体として冷却用の冷たい壁、および、メカニカルなエンドプレートを伴なうものである。
【００１０】
そうした筐体のためのデザインは、一般的に、従来の引き算的な製造（ｓｕｂｔｒａｃｔｉｖｅ  ｍａｎｕｆａｃｔｕｒｉｎｇ）構造体（例えば、フライス加工（ｍｉｌｌｉｎｇ）、ドリル加工（ｄｒｉｌｌｉｎｇ）、等によって形成される構造体）、および、一般的なプラナーに限定される。取り込まれた特殊な製造プロセスのせいで、そうした筐体は、製造と実施のための長いリードタイム（例えば、６カ月以上）を必要とし得る。加えて、そうした筐体は、典型的には、大量の締め具、アダプタプレート、および付属品を用いてアセンブリされる。これらの特性は、特には少量生産またはプロトタイプについての、筐体コスト、および、類似／リユースの多いデザインでさえも、新たな筐体を製作するためのリードタイム、について、著しいインパクトを持ち得るものである。大量のプレート、ガスケット、および付属品からは、品質問題も、また、結果として生じ得る。例えば、流体インターフェイスにおいてはリークについてかなり多くの機会が存在している。
【００１１】
真空ろう付けされた冷たい壁の製造に係る制限は、また、新たなミッションまたはシステム要求に対して既存の筐体を迅速に再構成するのをチャレンジングなものにし得る。拡大縮小（ｓｃａｌｉｎｇ）と再構成は、かなりの開発費（ｎｏｎ−ｒｅｃｕｒｒｉｎｇ  ｅｘｐｅｎｓｅ、ＮＲＥ）とリードタイムを課すものである。このことは、変化している脅威に対して迅速に適合するために迅速な再構成を必要とする現在および将来の防衛システムにとって、許容できないものであり得る。
【００１２】
こうした問題を取り扱うために、本開示に係る実施例は、複数のメタルレーザ支援の付加製造（ａｄｄｉｔｉｖｅ  ｍａｎｕｆａｃｔｕｒｉｎｇ）プロセスのうちのあらゆる一つまたはそれ以上を使用して形成されるモノリシック筐体を提供する。そうしたプロセスは、選択的レーザ溶融（Ｓｌｅｃｔｉｖｅ  Ｌａｓｅｒ  Ｍｅｌｔｉｎｇ、ＳＬＭ）を含んでよい。特定的な実施例として、選択的レーザ溶融は、Ｄｉｒｅｃｔ  Ｍｅｔａｌ  Ｌａｓｅｒ  Ｓｉｎｔｅｒｉｎｇ（ＤＭＬＳ）という商品名を伴うものといったプロセスを使用して実行されてよい。ここにおいて使用されるように、「モノリシック（”ｍｏｎｏｌｉｔｈｉｃ”）」は、僅かな、継ぎ目（ｓｅａｍ）、接合（ｊｏｉｎｔ）、またはアタッチメント、もしくは、それらが無く、一体的に形成されている一体型（ｏｎｅ  ｐｉｅｃｅ）の筐体を示すものである。ＳＬＭまたはＤＭＬＳプロセスの最中に、流体チャネルが形成され、そして、僅かな密封（ｓｅａｌ）または継ぎ目を伴って、もしくは、それらが無く、筐体の中にエンベッドされており、そして、筐体を通じて仮想的にあらゆる３次元（３Ｄ）のパス（ｐａｔｈ）を流れることができる。従って、複雑な熱構造体（ｔｈｅｒｍａｌ  ｓｔｒｕｃｔｕｒｅ）が３次元において利用可能である。流体チャネルは、信頼性よく、モジュール／筐体のインターフェイスまで直接的に持って行かれ得るものであり、これによって、改善された熱伝達（ｈｅａｔ  ｔｒａｎｓｆｅｒ）特性を提供している。
【００１３】
ここにおいて開示される実施例は、流体フロースルー（ｆｌｏｗ−ｔｈｒｕ）筐体を提供するためのリードタイムを大幅に削減する。加えて、開示される実施例は、モノリシック構造体において示されるように、締め具および付属品を取り除くことによって、筐体のパーツの数量を著しく削減する。このことは、流体インターフェイスにおける漏れ（ｌｅａｋａｇｅ）といった、品質問題をかなり低減する。さらに、開示された実施例は、流体チャネルの中に含まれる複雑な熱伝達の形状を提供する。他の製造方法を使用しては達成できないであろうものである。
【００１４】
本開示に係る実施例は、ここにおいて説明される機能のうちあらゆる一つ、一つ以上、または、全てを含んでよいことが理解されよう。加えて、この開示の実施例は、追加的または代替的に、ここにおいてリストされていない他の機能を含んでよい。
【００１５】
図１Ａと図１Ｂは、本開示に従って、モノリシック筐体の一つの実施例について異なる斜視図を示している。図１Ａと図１Ｂにおいて示される筐体１００の実施例は、説明目的のためのだけのものである。他の実施例が、この開示の範囲から逸脱することなく使用され得るであろう。
【００１６】
図１Ａと図１Ｂに示されるように、筐体１００は、複数の壁１０２、第１端１０４、および第２端１０６を含んでいる。それぞれの壁１０２は、複数の取り付けレール１０８を含んでいる。第１端１０４は、冷却流体のための一つまたはそれ以上のインターフェイス１１０と、他のインターフェイスのための一つまたはそれ以上の開口部１１２を含んでいる。複数の取り付けポイント１１４が、壁１０２と端１０４、１０６のエッジに沿って見い出される。
【００１７】
壁１０２は、冷たい壁であり、筐体１００とともに一体的に形成された３次元的なチャネル（図示なし）が一緒にエンベッドされている。特に、チャネルは、カードレール１０８の中に、または、その近傍にあるように形成されている。それぞれの取り付けレール１０８は、電子コンポーネントを受け入れ、かつ、固定するように構成されている。筐体１００が使用中であり、冷却コンフィグレーションにおいて動作している間に、冷却流体は、チャネルを通過し、そして、レールに取り付けられた電子機器といった、発熱コンポーネントからの熱を受け取る。発熱コンポーネントから熱を受け取り、そして、熱を消散させることによって、チャネルの中の冷却流体は、発熱コンポーネントを冷却するように動作する。
【００１８】
従来の冷たい壁構造において、冷却チャネルは、たいてい、それぞれのチャネルの壁を含む、複数の平坦な、スタンプされた、もしくは、そうでなければ、成形されたピース（例えば、シートメタル）を一緒に結合することによって形成される。従来の冷却チャネルは、線形（１次元）または平面（１次元）構成において配置されている。そうしたチャネルは、複数のコンポーネントと密封された筐体を形成するための一つまたはそれ以上の継ぎ目（ｓｅａｍ）を必ず含んでいる。例えば、複数のピースが、密封されたチャネルを形成するために一緒に真空ろう付けさ得る。
【００１９】
そうした冷却チャネルと対照的に、それぞれの壁１０２の中にエンベッドされたチャネルは、ＳＬＭまたはＤＭＬＳプロセスの最中に、壁１０２と共にモノリシックに形成または「成長（”ｇｒｏｗ”）」される。それぞれの壁１０２の中のチャネルは、また、あらゆるコンフィグレーションにおいて形成されてよく、そして、３次元におけるあらゆる方向に延びてよい。これは、３次元的な曲線、コイル、らせん、複数の平面、これらの組み合わせ、などを含んでいる。
【００２０】
図１Ａと図１Ｂに示される実施例において、第１端１０４は、冷却流体が筐体１００に入る、及び/又は、出るための一つまたはそれ以上のインターフェイス１１０を含んでいる。第１端は、また、他のインターフェイスのための一つまたはそれ以上の開口部１１２も含んでいる。電気的接続、データ接続、または、筐体１００または筐体１００の中にマウントされているコンポーネントに対する、あらゆる他の適切なタイプのインターフェイス、といったものである。取り付けポイント１１４は、カバーを、筐体１００に取り付けられるように構成されている。
【００２１】
図１Ａと図１Ｂは、モノリシック筐体１００に係る一つの実施例を示しているが、図１Ａと図１Ｂに対しては、種々の変更がなされ得るものである。例えば、冷却チャネルは、端１０４、１０６といった、筐体１００の他のコンポーネントの中にエンベッドされてよい。インターフェイス１１０と開口部１１２は、また、第１端、第２端における追加的または代替的な場所、もしくは、あらゆる他の適切な場所に置かれてよい。さらに、筐体１００の見栄えと構成は、説明目的だけのためのものである。特定の必要性に応じて、コンポーネントが、あらゆる他のコンフィグレーションにおいて、追加され、除外され、結合され、または、置かれてよい。
【００２２】
図２は、本開示に従った、モノリシック筐体の一つの実施例に係る斜視図である。筐体２００は、筐体２００のいくつかのコンポーネントをより上手く説明するために、透明な形式で示されている。図２に示される筐体２００の実施例は、説明目的ためだけのものである。この開示の範囲から逸脱することなく、他の実施例が使用され得るであろう。いくつかの実施例において、筐体２００は、図１Ａと図１Ｂにおいて示された筐体１００を表してよい。
【００２３】
図２に示されるように、筐体２００は、筐体１００と同様に、複数の壁２０２を含み、そして、それぞれの壁２０２は、複数の取り付けレール２０８を含んでいる。筐体２００は、また、冷却流体が筐体２００に入る、及び/又は、出るための複数のインターフェイス２１０ａと２１０ｂも含んでいる。
【００２４】
筐体１００における壁１０２と同様に、壁２０２は、冷たい壁であり、筐体２００とともに一体的に形成された冷却チャネルが一緒にエンベッドされている。断面図「Ａ」に示されるように、冷却チャネルは、それぞれの取り付けレール２０８の中に集中されており、そして、レールの長さに沿って通じている。これは、冷却機能の大部分は、それぞれの熱源（例えば、カードマウントされた電子機器）がそれぞれのレール２０８に対して結合されたところで発生するからである。
【００２５】
図２の影付された部分によって表されるように、冷却チャネル２２は、複数の接続通路２０５によって、インターフェイス２１０ａと２１０ｂに対して、および、相互に対して接続されている。オペレーションの一つの態様において、冷却流体は、インターフェイス２１０ａにおいて筐体２００に入り、そして、冷却チャネル２２０まで接続通路２０５を通過していく。冷却流体は、冷却チャネル２２０を循環し、それによって、取り付けレール２０８の上にマウントされた発熱する電子機器から熱を吸収し、そして、取り除いている。次に、冷却流体は、インターフェイス２１０ｂにおいて筐体から出る。いくつかの実施例において、接続通路２０５は、冷却チャネル２２０の一部であると考えられ得る。一体的に形成された冷却チャネル２２０が、マルチプラナー（ｍｕｌｔｉ−ｐｌａｎａｒ）において構成され、そして、複数の冷たい壁を通じて連続的に冷却流体を運搬するようにである。
【００２６】
筐体２００において、冷却の大部分または全ては、取り付けレール２０８に沿って、そして、その中で生じ得る。しかしながら、他の実施例において、筐体２００の構造は、異なり得るであろう。例えば、他のまたは追加の冷却チャネルが、筐体２００の他の部分に置かれてよく、そして、冷却がそうした場所において発生し得るであろう。平行な、断面図「Ａ］において示されるような実質的に長方形のチャネル、の代わりに、冷却チャネル２２０は、また、一つまたはそれ以上のらせん構造といった、異なる形状も含み得るであろう。モノリシック筐体２００を形成するための付加製造プロセスにより、冷却チャネルおよび関連する構造体のデザインと場所において、大きな変更ができる。
【００２７】
図３Ａと図３Ｂは、本開示に従って、モノリシック筐体の一つの実施例に係る製造プロセスの異なるステージを示している。図３Ａと図３Ｂにおいて示される筐体３００の実施例は、説明目的のためのだけのものである。他の実施例が、この開示の範囲から逸脱することなく使用され得るであろう。いくつかの実施例において、筐体３００は、図１Ａと図１Ｂにおいて示された筐体１００または図２において示された筐体２００を表してよい。
【００２８】
図３Ａに示されるように、筐体３００は、ＳＬＭまたはＤＭＬＳといった、付加製造プロセスを使用して形成されてきている。図３Ａに示されるステージにおいて、筐体３００は、実質的に固体の（ｓｏｌｉｄ）ブロックのように見える。筐体の中間部３０２は、実質的に、サポート材料によって満たされている。サポート材料は、筐体３００が形成されている際に筐体３００の全体的な形状を維持するために、ＳＬＭまたはＤＭＬＳの最中に筐体３００と共に形成されるものであり、そして、筐体３００が完成する以前に最終的には取り除かれるものである。いくつかの実施例においては、筐体の形状に応じて、そうしたサポート材料が、ＳＬＭまたはＤＭＬＳプロセスにおいて必要ではなく、または、含まれなくてもよい。サポート材料の大部分が取り除かれた後で、筐体３００は、図３Ｂにおいて示されるように見える。参照番号３０５を用いて特定される材料といった、いくらかの残余のサポート材料が、筐体３００の隣接する取り付けレール３０８の間に保持されている。後の製造ステップにおいても、また、残余のサポート材料が取り除かれ、図１Ａと図１Ｂにおける取り付けレール１０８に外見において類似している取り付けレール３０８が残っている。
【００２９】
ＳＬＭは、選択的レーザ焼結（ｓｌｅｃｔｉｖｅ  ｌａｓｅｒ  ｓｉｎｔｅｒｉｎｇ）のコンセプトに基づくものである。ＳＬＭにおいては、３次元構造体のモデルが、コンピュータ支援デザイン（ＣＡＤ）ソフトウェアまたは他のソフトウェアを使用して開発されている。一旦開発されると、３次元構造体のデザインは、ＳＬＭマシンの中にロードされ、そして、後に、金属パウダーといった材料を使用して３次元においてレイヤ（ｌａｙｅｒ）ごとに構造体が構築される。ＳＬＭは、一度に一つのレイヤを、非常に薄いレイヤにおいて３次元構造体を生成する付加製造プロセスなので、複雑な３次元形状、および、構造体の中に欠け（ｖｏｉｄ）を生成することが可能である。例えば、図３Ｂにおいて取り付けレール３０８が固体であるように見えるが、取り付けレールは、実際には、図２に示されるチャネル２２０といった、エンベッドされた冷却チャネルを含んでいる。そうしたチャネルは、ＤＭＬＳプロセスの最中に、それぞれの取り付けレール３０８の中に容易に形成される。他のチャネルも、また、図２において示されるものと同様に、筐体３００の全体を通じて存在してよい。
【００３０】
モノリシック電子機器筐体、筐体３００といったもの、は、接合の継ぎ目または機械的な密封なく形成され得るものであり、そして、複数の電子機器モジュールのための統合された取り付け機能を収容している。そうした筐体は、付加製造のプロセスのおかげで締め具の実質的な削減を特徴とする。筐体は、また、マルチプラナーで（つまり、３次元）、エンベッドされ、連続的で、密封された冷却チャネルも特徴とする。ここにおいて使用されるように、「マルチプラナー（”ｍｕｌｔｉ−ｐｌａｎａｒ”）」は、それぞれの冷却チャネルが実質的に２次元または平面の構成において単に配置されているのではなく、複数のプラナーを横切り、及び／又は、全ての３次元において、曲がり、カーブし、または、角度が付いてよいこと、そして、筐体の複数の隣接する壁を通じて連続的に横断してよいことを示している。いくつかの実施例において、冷却チャネルは、筐体のモノリシックな性質のおかげで、補助的な流体密封なく、電子機器取り付けレールに対して直接的にルート（ｒｏｕｔｅ）され得る。そうした筐体は、また、真空ろう付けといったプロセスを使用しては製造され得ない、新規で複雑な流体流れ又は熱伝達構造体も包含し得る。いくつかの新規な熱伝達が、以下により詳細に説明される。
【００３１】
エンベッドされた冷却チャネルに加えて、筐体３００は、ＳＬＭ製造プロセスのおかげで可能な他の構造的機能を含んでよい。例えば、筐体３００は、実質的に固体の壁（図３Ａと図３Ｂにおいては見えない、エンベッドされた冷却チャネルを除く）からできているように見えるが、ＳＬＭの使用は、完全には固体（ｓｏｌｉｄ）ではなく、代わりに数多くの欠けを含んでいる、筐体３００の一つまたはそれ以上の部分の形成を促進する。例えば、筐体３００の一つまたはそれ以上の壁は、格子、クモの巣、または網目タイプの構造体として形成されてよい。そうした壁は、いまだに構造的な支えとなるように十分に強いであろうが、固体の壁よりも軽く、そして、いっそう少ない材料を必要とするであろう。いくつかの実施例において、格子構成は、規則正しく、周期的な欠けを伴う、明確なものであり得るだろう。他の実施例において、格子構成は、ランダムな間隔でおかれた欠けを伴う、不規則なものであり得るだろう。一般的に、ＳＬＭの使用により、筐体３００のデザインからあらゆる材料を容易に取り除くことができる。構造的な支えのため、冷却チャネルの整合性のため、もしくは、電磁干渉（ＥＭＩ）プロテクションのために必要とされないものについてである。
【００３２】
図４は、本開示に従って、構造体においてエンベッドされ得る冷却チャネルらせん（ｈｅｌｉｘ）の一つの実施例を示している。図４において示される冷却チャネルらせん４００の実施例は、説明目的のためのだけのものである。他の実施例が、この開示の範囲から逸脱することなく使用され得るであろう。いくつかの実施例において、冷却チャネルらせん４００は、図２で示された冷却チャネルの一つまたはそれ以上を表わしてよく、または、関連付けされてよい。
【００３３】
図４に示されるように、冷却チャネルらせん４００は、複数のらせんパターンにおいて構成された複数の個別の冷却チャネル４０1−４０８を含んでいる。図４には８個の冷却チャネルが示されているが、これは単なる一つの例であり、そして、実施に基づいて、より多く又はより少ないチャネルがらせん４００において使用されてよい。
【００３４】
従来の冷たい壁において、熱源からの熱は、熱源が接触している冷たい壁の一つの側面または領域へと伝導する。冷却流体へ伝導する熱の能力は、冷却効果全体に対する主要コンポーネントの一つである。この伝導能力は、熱伝導率および接触の表面積を含む、多くの要因によって影響される。熱伝導特性のおかげで、熱源の接触ポイントから遠く離れたチャネルの中を流れている冷却流体は、熱源を冷却するための減少した利用可能性を有する。
【００３５】
この問題の解決を助けるために、複数の流体チャネルが、冷却チャネルらせん４００といった、らせん状に構成され得る。冷却チャネル４０１−４０８それぞれは、熱源４１０との接触ポイントに近く、そして、遠く離れている。オペレーションの最中には、それぞれのチャネル冷却流体が４０１−４０８を通じて流れるので、熱は、接触ポイントに近い冷却流体に対して迅速に伝達され、そして、次に、取り除かれる。別の言葉で言えば、それぞれのチャネルにおいて熱源４１０から遠く離れたポイントからのより冷たい流体が、最終的には熱源４１０に対してより近くに運ばれ、一方で、より温かい流体が遠く離れたポイントに対して流れている。従って、冷却チャネル４０１−４０８それぞれは、熱源４１０を冷却するために、実質的に等しい機会を有している。
【００３６】
冷却チャネル４０１−４０８それぞれの断面領域は、長方形チャネル、正方形チャネル、円形チャネル、または、あらゆる他の適切な形状を含み、あらゆる複数の形状であり得るだろう。チャネルの数量、および、それぞれのチャネルの回転の周期（つまり、熱源４１０との接触に係る隣接するポイント間の距離）も、また、実施例に応じて変動して得るだろう。いくつかの実施例においは、チャネルの内側の壁に対して、より薄い境界レイヤを生成するように流体推進力（ｆｌｕｉｄ  ｍｏｍｅｎｔｕｍ）を使用することによって、よりタイトならせんの回転の周期が、熱伝達をさらに増進することができる。
【００３７】
図４は、冷却チャネルらせん４００の一つの実施例を説明しているが、図４に対して種々の変更がなされ得る。例えば、らせんの代わりに、冷却チャネル４０１−４０８は、他のマルチプラナーおよび３次元の形状と配列において構成され得るだろう。いくつかの実施例において、チャネルに係る異なる可能な形状と長さは、結果として生じる冷却流体の増加された移動と組み合わされて、冷却流体の移流（ａｄｖｅｃｔｉｖｅ）特性を増加させる。
【００３８】
図５Ａから図５Ｃは、本開示に従って、冷却チャネルの内側における使用のための冷却フィンの異なる実施例を示している。図５Ａから図５Ｃにおいて示される冷却フィンの実施例は、説明目的のためのだけのものである。他の実施例が、この開示の範囲から逸脱することなくことなく使用され得るであろう。いくつかの実施例において、冷却フィンは、図２と図４において示された冷却チャネルの一つまたはそれ以上の中に包含されてよい。
【００３９】
図５Ａから図５Ｃは、冷却チャネル５１０、５２０、５３０の断面図を示している。いくつかの実施例において、冷却チャネル５１０、５２０、５３０は、図２と図４において示された冷却チャネルの一つまたはそれ以上を表わしてよい。冷却チャネル５１０、５２０、５３０は、長方形の断面形状を有するように描かれているが、冷却チャネル５１０、５２０、５３０は、実施例に応じて、あらゆる他の適切な断面形状を有し得るだろう。
【００４０】
図５Ａに示されるように、冷却チャネル５１０は、冷却チャネル５１０の内壁から冷却チャネル５１０の内部空間の中へ突出する複数のピン形フィン（ｐｉｎ  ｆｉｎ）５１５を含んでいる。オペレーションの一つの態様において、冷却チャネル５１０の外側の一つまたはそれ以上の熱源からの熱は、冷却チャネル５１０の壁の中へ伝達され、そして、さらに、ピン形フィン５１５に沿って内部へ伝導する。冷却流体が冷却チャネル５１０を通過しているので、冷却流体はピン形フィン５１５と接触し、そして、ピン形フィン５１５における熱を吸収する。熱は、冷却チャネル５１０の外側に置かれた一つまたはそれ以上の熱源から伝達されたものである。
【００４１】
ピン形フィンに加えて、研究は、楕円形またはティアドロップ形状のフィンが、冷却チャネルの中の圧力損失を最小化する一方で、熱伝達を増進させ得ることを示している。図５Ｂに示されるように、冷却チャネル５２０は、複数のティアドロップ形状のフィン５２５を含んでいる。ピン形フィン５１５と同様に、ティアドロップ形状のフィン５２５は、熱源から冷却流体へと熱を伝達させるように手助けする。しかしながら、ティアドロップ形状のフィン５２５は、冷却チャネル５２０における圧力損失を最小化し得るものである。
【００４２】
図５Ａと図５Ｂにおける冷却チャネルにおいて、２つのフィンが示されているが、それぞれの冷却チャネルにおけるフィンの数量は変動してよい。同様に、それぞれ冷却チャネルの長さに沿ったフィンの構成、位置、および配置は、実施例に応じて変動してよい。
【００４３】
図５Ｃは、冷却チャネルにおける使用のためのフィンに係る異なる形状を示している。図５Ｃに示されるように、冷却チャネル５３０は、冷却チャネル５３０の内部セクションに拡がるピッグテール（ｐｉｇｔａｉｌ）形フィン５３５を含んでいる。ピッグテール形フィン５３５は、コイルの連続した巻き（ｔｕｒｎ）の間にスペースを伴ってゆるく（ｌｏｏｓｅｌｙ）巻かれたコイルと実質的に類似した形状である。巻きの間のスペースによって、冷却流体が、ピッグテール形フィン５３５の表面積の全てのポイントの周りを通過することができる。ピン形フィン５１５と同様に、ピッグテール形フィン５３５は、熱源から冷却流体へと熱を伝達させるように手助けする。ピン形フィン５１５と比較して、ピッグテール形フィン５３５のより大きな全体長は、より大きな表面積を提供し、そこを通じて熱を伝達する。冷却チャネル５３０において一つのピッグテール形フィン５３５が示されているが、冷却チャネル５３０におけるピッグテール形フィン５３５の数量は、変動してよい。同様に、冷却チャネル５３０の長さに沿ったピッグテール形フィンの構成、位置、および配置は、実施例に応じて変動してよい。
【００４４】
図５Ａから図５Ｃにおいて示された実施例においては、流体について動き回るためのより大きな表面積および流体境界レイヤについてインタラプト（ｉｎｔｅｒｒｕｐｔ）されるより多くの機会を提供するために、種々のフィン５１５、５２５、５３５が冷却流体の中へ突出しており、冷却流体への熱伝達を改善する。他の実施例において、フィンは追加的または代替的に、冷却チャネルから熱源を取り巻くボリューム（ｖｏｌｕｍｅ）の中へ外側に突き出している。
【００４５】
大部分の製造プロセスにおいて、上述されたものに類似する熱伝達機能は、成形（ｃａｓｔ）されることを要し、縦横比（ａｓｐｅｃｔ  ｒａｔｉｏ）、抜き勾配（ｄｒａｆｔ  ａｎｇｌｅ）、およびフィンの充填率（ｐａｃｋｉｎｇ  ｄｅｎｓｉｔｙ）について制限を生成している。いくつかの他の製造プロセス、超音波法または融着（ｆｕｓｉｏｎ  ｂｏｎｄｉｎｇ）といったもの、においては、図５Ａから図５Ｃにおいて示される強化された熱伝達機能のいくつかを形成することができないことがある。ここにおいて開示される付加製造プロセスは、これらの障壁を取り去るものである。
【００４６】
ここにおいて開示される実施例は、他の冷却構造体について数多くの利点を提供する。例えば、いくつかの実施例においては、パーツ数量が大きく削減され、結果として、手作業アセンブリの削減および物流トレイル（ｌｏｇｉｓｔｉｃｓ  ｔｒａｉｌ）の削減を生じている。いくつかの実施例は、パーツのインターフェイスを無くしたおかげで、強化された電磁干渉（ＥＭＩ）パフォーマンスを示している。圧力テストは、この開示に係る冷却チャネルが、実質的に完全な密封性（つまり、漏れがないこと）を示すことを実証した。高性能の熱的にコントロールされた電子機器筐体に典型的に関連する圧力におけるものである。
【００４７】
ここにおいて開示される実施例において、熱源は、電子コンポーネントとして特定される。しかしながら、この開示は、それらに限定されるものではない。いくつかの実施例において、熱源は、他の熱源を含んでよい。例えば、熱源は、環境的な暖房負荷（ｈｅａｔｉｎｇ  ｌｏａｄ）によるものであってよい。太陽加熱（ｓｏｌａｒ  ｈｅａｔｉｎｇ）、空力加熱（ａｅｒｏｄｙｎａｍｉｃ  ｈｅａｔｉｎｇ）、等といったものによるものである。開示された冷却チャネルと構造体は、あらゆるそうした加熱環境における熱の除去について適用可能である。
【００４８】
追加的または代替的な変更が考えられてきている。開示された付加製造プロセスにおいて、グラディエント合金（ｇｒａｄｉｅｎｔ  ａｌｌｏｙ）または複数の材料（例えば、金属合金に加えてプラスチック製コンポーネント）の取り込みを含んでいるものである。
【００４９】
この明細書の全体を通じて使用されている所定の単語とフレーズの定義を説明することは有利であり得る。用語「接続する（”ｃｏｕｐｌｅ”）」とその派生語は、２つ又はそれ以上のエレメント間のあらゆる直接的または間接的なコミュニケーション（ｃｏｍｍｕｎｉｃａｔｉｏｎ）を参照する。これらのエレメントが、総合に物理的に接触しているか否かにかかわらずにである。用語「含む（”ｉｎｃｌｕｄｅ”と”ｃｏｍｐｒｉｓｅ”）」は、それらの派生語も同様に、限定することのない包含（ｉｎｃｌｕｓｉｏｎ）を意味するものである。用語「または（”ｏｒ”）」は、包括的なものであり、「及び／又は（ａｎｄ／ｏｒ）」を意味している。フレーズ「関連した（”ａｓｓｏｃｉａｔｅｄ  ｗｉｔｈ”）」は、その派生語も同様に、含む、中に含まれる、相互に接続する、包含する、中に包含される、接続する、結合する、伝達できる、協力する、インターリーブする、並べる、近くにある、結合されている、有する、性質を有する、関係を持つ、等を意味している。フレーズ「少なくとも一つ（”ａｔ  ｌｅａｔ  ｏｎｅ  ｏｆ”）」は、アイテムのリストと共に使用されるときに、リストされたアイテムのうち一つまたはそれ以上の異なる組み合わせが使用され得ること、および、リストにおける一つのアイテムだけが必要とされ得ること、を意味している。例えば、「Ａ、Ｂ、またはＣのうち少なくとも一つ」は、以下のあらゆる組み合わせを含んでいる。Ａ、Ｂ、Ｃ、ＡとＢ、ＡとＣ、ＢとＣ、および、ＡとＢとＣ、である。
【００５０】
本発明の範囲から逸脱することなく、ここにおいて説明されたシステム、装置、および方法に対して、変更、追加、または省略がなされ得る。システムおよび装置のコンポーネントは、統合され、または、分離されてよい。さらに、システムおよび装置のオペレーションは、より多くの、より少ない、または、他のコンフィグレーションによって実行され得る。方法は、より多くの、より少ない、または、他のステップを含んでよい。加えて、ステップは、あらゆる適切な順序において実行され得る。この文書において使用されるように、「それぞれ（”ｅａｃｈ”）」は、セットに係るそれぞれのメンバーまたはセットのサブセットに係るそれぞれのメンバーを参照するものである。
【００５１】
ここに添付される請求項の解釈において、特許庁（Ｐａｔｅｎｔ  Ｏｆｆｉｃｅ）、および、この特許申請について発行されるあらゆる特許に係るあらゆる読者を支援するために、用語「手段（”ｍｅａｎｓ  ｆｏｒ”）」または「段階（”ｓｔｅｐ  ｆｏｒ”）」が特定の請求項において明確に使用されていなければ、出願日に存在しているからといって、添付の請求項またはクレームエレメントのいずれもが、米国特許法第１１２条第６パラグラフを行使するように意図されたものではないことを、出願人は、注記したいものである。
【図１Ａ】
2017517878.tif 000003
【図１Ｂ】
2017517878.tif 000004
【図２】
2017517878.tif 000005
【図３Ａ】
2017517878.tif 000006
【図３Ｂ】
2017517878.tif 000007
【図４】
2017517878.tif 000008
【図５Ａ】
2017517878.tif 000009
【図５Ｂ】
2017517878.tif 000010
【図５Ｃ】
2017517878.tif 000011
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
冷却システムであって、
複数の取り付けレールと、マルチプラナー構成において配置されている複数のエンベッドされた冷却チャネルとを有する、複数の壁であり、
前記エンベッドされた冷却チャネルの少なくとも一部分は、一つまたはそれ以上の取り付けレールの中にエンベッドされており、
前記エンベッドされた冷却チャネルは、前記取り付けレールの近傍の複数の場所に対して冷却流体を運搬するように構成されており、
前記冷却流体は、少なくとも一つの前記取り付けレールに対して取り付けられている熱源から伝達される熱を吸収するように構成されている、
複数の壁、を含み、
少なくとも一つのインターフェイスが、少なくとも一つの前記壁において配置されており、前記少なくとも一つのインターフェイスによって、前記冷却流体が前記冷却システムに入り、または、出ることができ、
前記エンベッドされた冷却チャネルの少なくともいくつかは、前記冷却流体を、循環的な方法で繰り返し、前記熱源に向かって、および、前記熱源から離れて、運搬するように構成されている複数のらせんを形成しており、
前記壁、前記取り付けレール、および、前記エンベッドされた冷却チャネルは、付加製造プロセスを使用して、継ぎ目なく一体的に形成されている、
冷却システム。
【請求項２】
前記壁、前記取り付けレール、および、前記エンベッドされた冷却チャネルは、選択的レーザ溶融（ＳＬＭ）プロセスを使用して、前記エンベッドされた冷却チャネルとともに一体的に形成される、
請求項１に記載の冷却システム。
【請求項３】
前記エンベッドされた冷却チャネルは、前記冷却流体を、連続的に、前記冷却システムの少なくとも２つの前記壁を通じて運搬するように構成されている、
請求項１に記載の冷却システム。
【請求項４】
それぞれの取り付けレールは、第１端から第２端までの長さを有し、かつ、
前記一つまたはそれ以上の取り付けレールの中にエンベッドされている前記エンベッドされた冷却チャネルの少なくとも一部分は、前記一つまたはそれ以上の取り付けレールの前記長さに沿って実質的に延びている、
請求項１に記載の冷却システム。
【請求項５】
前記冷却システムは、前記付加製造プロセスにおいて、格子、クモの巣、または網目として形成された少なくとも一つの部分を含む、
請求項１に記載の冷却システム。
【請求項６】
それぞれの冷却チャネルは、前記冷却チャネルの内部空間を定める複数のチャネル壁を含み、
前記チャネル壁のうち少なくとも一つから前記冷却チャネルの前記内部空間の中へ、複数の熱伝達構造体が突き出している、
請求項１に記載の冷却システム。
【請求項７】
前記複数の熱伝達構造体は、ピン形フィン、ピッグテール形フィン、または、ティアドロップ形状のフィン、のうち少なくとも一つを含む、
請求項６に記載の冷却システム。
【請求項８】
複数の発熱する電子機器を収容し、かつ、冷却するように構成されている電子機器筐体であって、
複数の取り付けレールと、マルチプラナー構成において配置されている複数のエンベッドされた冷却チャネルとを有する、少なくとも一つの冷たい壁であり、
前記エンベッドされた冷却チャネルの少なくとも一部分は、一つまたはそれ以上の取り付けレールの中にエンベッドされており、
前記エンベッドされた冷却チャネルは、前記取り付けレールの近傍の複数の場所に対して冷却流体を運搬するように構成されており、
前記冷却流体は、少なくとも一つの前記取り付けレールに対して取り付けられている電子的発熱源から伝達される熱を吸収するように構成されている、
冷たい壁、を含み、
前記エンベッドされた冷却チャネルの少なくともいくつかは、前記冷却流体を、循環的な方法で繰り返し、前記電子的発熱源に向かって、および、前記電子的発熱源から離れて、運搬するように構成されている複数のらせんを形成しており、
前記少なくとも一つの冷たい壁、前記取り付けレール、および、前記エンベッドされた冷却チャネルは、付加製造プロセスを使用して、継ぎ目なく一体的に形成されている、
電子機器筐体。
【請求項９】
前記少なくとも一つの冷たい壁、前記取り付けレール、および、前記エンベッドされた冷却チャネルは、選択的レーザ溶融（ＳＬＭ）プロセスを使用して、前記エンベッドされた冷却チャネルとともに一体的に形成される、
請求項８に記載の電子機器筐体。
【請求項１０】
前記少なくとも一つの冷たい壁は、複数の冷たい壁を構成し、かつ、
前記エンベッドされた冷却チャネルは、前記冷却流体を、連続的に、前記電子機器筐体の少なくとも２つの前記冷たい壁を通じて運搬するように構成されている、
請求項８に記載の電子機器筐体。
【請求項１１】
それぞれの取り付けレールは、第１端から第２端までの長さを有し、かつ、
前記一つまたはそれ以上の取り付けレールの中にエンベッドされている前記エンベッドされた冷却チャネルの少なくとも一部分は、前記一つまたはそれ以上の取り付けレールの前記長さに沿って実質的に延びている、
請求項８に記載の電子機器筐体。
【請求項１２】
前記電子機器筐体は、前記付加製造プロセスにおいて、格子、クモの巣、または網目として形成された少なくとも一つの部分を含む、
請求項８に記載の電子機器筐体。
【請求項１３】
それぞれの冷却チャネルは、前記冷却チャネルの内部空間を定める複数の壁を含み、
前記壁のうち少なくとも一つから前記冷却チャネルの前記内部空間の中へ、複数の熱伝達構造体が突き出している、
請求項８に記載の電子機器筐体。
【請求項１４】
前記複数の熱伝達構造体は、ピン形フィン、ピッグテール形フィン、または、ティアドロップ形状のフィン、のうち少なくとも一つを含む、
請求項１３に記載の電子機器筐体。
【請求項１５】
複数の取り付けレールと、付加製造プロセスを使用して、継ぎ目なく一体的に形成されている複数の冷却チャネルとを有する、少なくとも一つの冷たい壁を含む、電子機器筐体を形成するステップであり、
前記冷却チャネルの少なくとも一部分は、一つまたはそれ以上の取り付けレールの中にエンベッドされている、ステップ、
を含む、方法であって、
前記エンベッドされた冷却チャネルは、マルチプラナー構成において配置されており、かつ、前記取り付けレールの近傍の複数の場所に対して冷却流体を運搬するように構成されており、
前記冷却流体は、少なくとも一つの前記取り付けレールに対して取り付けられている発熱源から伝達される熱を吸収するように構成されており、かつ、
前記エンベッドされた冷却チャネルの少なくともいくつかは、前記冷却流体を、循環的な方法で繰り返し、前記発熱源に向かって、および、前記発熱源から離れて、運搬するように構成されている複数のらせんを形成している、
前記少なくとも一つの冷たい壁、前記取り付けレール、および、前記エンベッドされた冷却チャネルは、付加製造プロセスを使用して、継ぎ目なく一体的に形成されている、
方法。
【請求項１６】
前記少なくとも一つの冷たい壁、前記取り付けレール、および、前記エンベッドされた冷却チャネルは、選択的レーザ溶融（ＳＬＭ）プロセスを使用して、前記エンベッドされた冷却チャネルとともに一体的に形成される、
請求項１５に記載の方法。
【請求項１７】
前記少なくとも一つの冷たい壁は、複数の冷たい壁を構成し、かつ、
前記エンベッドされた冷却チャネルは、前記冷却流体を、連続的に、前記電子機器筐体の少なくとも２つの壁を通じて運搬するように構成されている、
請求項１５に記載の方法。
【請求項１８】
それぞれの取り付けレールは、第１端から第２端までの長さを有し、かつ、
前記一つまたはそれ以上の取り付けレールの中にエンベッドされている前記エンベッドされた冷却チャネルの少なくとも一部分は、前記一つまたはそれ以上の取り付けレールの前記長さに沿って実質的に延びている、
請求項１５に記載の方法。
【請求項１９】
前記電子機器筐体は、前記付加製造プロセスにおいて、格子、クモの巣、または網目として形成された少なくとも一つの部分を含む、
請求項１５に記載の方法。
【請求項２０】
それぞれの冷却チャネルは、前記冷却チャネルの内部空間を定める複数の壁を含み、
前記壁のうち少なくとも一つから前記冷却チャネルの前記内部空間の中へ、複数の熱伝達構造体が突き出している、
請求項１５に記載の方法。
【請求項２１】
前記複数の熱伝達構造体は、ピン形フィン、ピッグテール形フィン、または、ティアドロップ形状のフィン、のうち少なくとも一つを含む、
請求項２０に記載の方法。
【国際調査報告】
2017517878.tif 000012
2017517878.tif 000013
2017517878.tif 000014